(57)【特許請求の範囲】
【請求項１】
入力電力が少なくとも４５０ワットであるＬＥＤモジュールおよび第１のレンズを備えた第１のハウジングであって、少なくとも１つの反射器を備え、風雨密に封止されることが可能な、第１のハウジングと、
前記ＬＥＤモジュールと熱接触しているヒートブロックであって、前記ヒートブロックと熱連通している少なくとも１つのヒートチューブを備えた、ヒートブロックと、
前記第１のハウジングを少なくとも一部囲む第２のハウジングであって、それにより少なくとも１つの通気路が前記第１のハウジングと前記第２のハウジングとの間に設けられ、前記少なくとも１つの通気路内に周囲空気を受け入れるように適合された、第２のハウジングと、
前記少なくとも１つの通気路と流体連通している少なくとも１つのファンであって、前記少なくとも１つの通気路内に周囲空気を引き込んで前記少なくとも１つのヒートチューブを通過させるように適合された、少なくとも１つのファンと
を備える、ＬＥＤ会場照明システム。
【請求項２】
前記少なくとも１つのヒートチューブと熱連通しているフィン組立体をさらに備える、請求項１に記載のＬＥＤ会場照明システム。
【請求項３】
前記少なくとも１つのヒートチューブは、冷却剤流体を含む、請求項２に記載のＬＥＤ会場照明システム。
【請求項４】
前記反射器は、前記第１のハウジングの少なくとも一部分を形成する、請求項１に記載のＬＥＤ会場照明システム。
【請求項５】
前記第１のレンズは、風雨密に前記反射器に固定される、請求項４に記載のＬＥＤ会場照明システム。
【請求項６】
前記第１のレンズと前記反射器との間に配置されたガスケットと、前記第１のレンズに固定された外側リングとをさらに備える、請求項５に記載のＬＥＤ会場照明システム。
【請求項７】
前記第１のレンズを遮光するためのバイザをさらに備える、請求項１に記載のＬＥＤ会場照明システム。
【請求項８】
前記第１のハウジングは、前記ＬＥＤモジュールと前記第１のレンズとの間に配置されることが可能なシャッタを備える、請求項１に記載のＬＥＤ会場照明システム。
【請求項９】
前記ＬＥＤモジュールは、チップオンボード型モジュールである、請求項１に記載のＬＥＤ会場照明システム。
【請求項１０】
前記ＬＥＤモジュールは、プリント回路基板上に取り付けられた複数のＬＥＤを備える、請求項１に記載のＬＥＤ会場照明システム。
【請求項１１】
前記ＬＥＤは、非対称の配置で前記プリント回路基板に取り付けられる、請求項１０に
記載のＬＥＤ会場照明システム。
【請求項１２】
前記プリント回路基板は、アルミニウム直接熱経路プリント回路基板である、請求項１０に記載のＬＥＤ会場照明システム。
【請求項１３】
ホストコンピュータをさらに備え、デジタルインターフェースが前記ホストコンピュータを前記ＬＥＤモジュールに接続する、請求項１に記載のＬＥＤ会場照明システム。
【発明の詳細な説明】
【技術分野】
【０００１】
関連出願の相互参照
本出願は、２０１５年４月２８日に出願した米国仮出願第６１／９８５，３４５号の利益を主張するものであり、あらゆる目的のためにその全体が参照により本明細書に組み込まれる。
【０００２】
本発明は、ＬＥＤ式照明器具に関する。より詳細には、限定されるものではないが、本発明は、発光ダイオードを用いたアリーナおよびスタジアム用の会場照明システムに関する。
【背景技術】
【０００３】
会場照明の要求は特有性がある。例えば、ＮＦＬスタジアムは、一般に、競技表面上のどの地点においても最小２６９１ルクス（２５０フートキャンドル）でフィールドを照明する。メタルハライドランプを用いてこのレベルの照度を実現するには、フィールドだけでおよそ１メガワットの電力を必要とする。現在はメタルハライドランプが標準であるが、メタルハライドランプは欠点がないわけではない。
【０００４】
メタルハライド（高輝度放電、すなわちＨＩＤとしても知られる）ランプの懸念の１つは、バルブの寿命である。低ワット数のバルブは、２０，０００時間ものバルブ寿命を示し得るが、典型的には、スタジアム器具に一般に見られる１，５００ワットのバルブなどのより高い出力のバルブは、３，０００時間の範囲内のバルブの平均寿命を有する。いくつかの他の懸念はバルブの寿命、例えば、エンベロープの破損（バルブの爆発）が寿命の終わり近く、またはバルブ交換中に時々生じること、ルーメンメンテナンス（輝度減少）、一見随意に見えるバルブがオンオフする循環などに関連している。エンベロープ破損はよくあることではないが、エンベロープはガラス製であり、ガラスが飛び出すことができないように器具がバルブを囲まなければならないので、エンベロープ破損は主な懸念となる。それにもかかわらず、スタジアムの上高く塔に取り付けた器具内のバルブ破損は、費用がかかり、望ましくない。破局的破損を防ぐために、多くのメタルハライドバルブ製造業者は、個々のバルブをスポット交換するのではなく、一定の寿命の最後にグループでランプを備え直すこと（ｇｒｏｕｐ  ｒｅ−ｌａｍｐｉｎｇ）を推奨する。
【０００５】
別の懸念は、スタートアップおよび高温再点弧である。従来のプローブ型メタルハライドバルブでは、低温のバルブの点火は小さいスタータアークの点火を伴い、この点火はバルブ内のガスを所定の圧力に上げるとともに、ガスがより容易にイオン化されるようにガスを加熱して主アークを開始させる。典型的には、このプロセスは、５分〜７分かかり、この時間の間、バルブが発生させる光はかなり少なく、色温度がかなり変動する。最近のパルス開始バルブはプローブをなくし、ウォームアップ時間が短縮されているが、ウォームアップはまだ２分から４分程度かかり得る。１，５００ワットのパルス開始バルブおよび安定器が利用可能であるが、パルス開始バルブおよび安定器はフィールド照明には広く許容されておらず、一般的に言って、パルス開始技術は、低いワット数に有利である。
【０００６】
高温再点弧は、初期スタートアップよりも重大な懸念である。フィールド照明に使用されるワット数の範囲内のプローブ型バルブは、バルブ内のガスが熱いときにはリスタートしない。高温再点弧のプロセスは、最大２０分かかり得る。この問題は、２０１３年２月のスーパーボウル中、瞬間的な電力喪失の結果、試合中に４５分の停電が生じたときに世界の注目を集めた。パルス開始バルブは同様に高温再点弧時間を減少させるが、このバルブを再点火するために必要とされる時間遅延はなお分単位で測定される。瞬間再点弧安定器はパルス開始バルブに利用可能であるが、３０，０００〜４０，０００ボルト程度の電圧が高温の１，５００ワットのバルブを再点弧するのに必要とされる。これらの電圧は、バルブと安定器との間の距離を制限し、高温再点弧中にバルブの外側へアーク放電するのを防ぐために非常に高い絶縁耐力の絶縁性を持つ特別な配線を必要とする。
【０００７】
メタルハライドバルブの使用における別の懸念は、映像制作である。明らかなように、スポーツイベントの映像制作はプロレベルおよび大学レベルで懸念となるが、映像ストリーミングはこの懸念を高校レベルにさえももたらした。メタルハライドバルブの幅広いスペクトルの性質は映像制作にとっては一般に良好であるが、テレビで放送するスポーツにとっては光が最適でない。例えば、全てのメタルハライドバルブは、交流電流で駆動される。このことは、アークが動作周波数の２倍で逆になることを意味する。米国では、磁気安定器を有するメタルハライドバルブは、１２０ヘルツでちらつく。高いフレームレートが遅い動きに用いられる場合、このちらつきは、最終的な映像において明らかになる。高周波電子安定器はこの影響を低減するが、影響はなお存在する。
【０００８】
映像制作の別の問題は、光の演色評価数（「ＣＲＩ：ｃｏｌｏｒ  ｒｅｎｄｅｒｉｎｇ  ｉｎｄｅｘ」）である。ＣＲＩの極端に単純な定義は、光源と日光との間のパーセント偏差であるが、効果は光源が色を演出する能力である。肌の色合いは、低いＣＲＩの光源で特に問題になる。典型的には、スポーツ複合照明に用いられるメタルハライドバルブは、約６５のＣＲＩを有する。そのようなバルブによって発生される光は、通常とても白く見えるが、典型的には、光は、５００ｎｍのスペクトル範囲内に余剰エネルギー、またはグリーンスパイク（ｇｒｅｅｎ  ｓｐｉｋｅ）を有する。典型的には、フィールドからの緑色光の跳ね返りと結合したグリーンスパイクは、カメラの「ホワイトバランス」によって対処されるが、それでもなおプロ映像制作にとっては理想に満たない。
【０００９】
メタルハライドバルブに関するさらに別の懸念は、紫外光（ＵＶ）の発生である。これらのバルブは、人間にとって危険であり得るかなりの量の短波ＵＶを発生する。大多数のバルブは、短波ＵＶ光の大部分を吸収するホウケイ酸塩または溶融ケイ酸塩外側エンベロープを備える。外側エンベロープが破壊された場合、大多数のメタルハライドバルブは、機能し続けるが、危険な量のＵＶ光を放射する。いわゆる「閃光熱傷」または目の日焼けは、そのようなバルブのすぐ近くにいる人々にとって実際的な危険である。外側エンベロープが所定の位置にある場合でも、そのようなバルブは、プラスチックに損傷を及ぼすのに十分なＵＶ光を放射し、一部の仕上げ加工を経時的にフェードさせ得る。
【００１０】
最後に、特に水銀の使用により、そのようなバルブの廃棄に関する環境的な懸念がある。製造業者はメタルハライドバルブに使用される水銀の量を減少させる手法を見つけたが、いくらかの水銀が、白色光を発生させるために必要とされる。バルブエンベロープはガラスであるので、廃棄後の破壊の可能性があり、したがって、水銀の放出の可能性がある。
【００１１】
発光ダイオード（ＬＥＤ）は、これらの領域の全てにおいてメタルハライドバルブを上回る改善をもたらす。しかしながら、発光ダイオードは、それ自体の課題がないわけではない。会場照明用のＬＥＤ照明器具を製造するためのおそらく最大の課題は、熱の管理である。メタルハライドバルブは、入力電力の８５％近くを可視光、紫外光、および赤外線のエネルギーとして輻射し、上記電力の残りの１５％は、伝導を通じて環境中に放散されなければならない。対照的に、ＬＥＤは、実質的に紫外光を輻射しないとともに、実質的に赤外エネルギーを輻射せず、したがって、入力電力の少なくとも５５％が伝導を通じて処理されなければならない。これは、アレイ内の下側の器具からの高温空気がより高い器具の周りの環境温度を有効に上昇させる大型の光アレイに関して特に問題である。
【００１２】
ＬＥＤは、屋内の会場照明として利用されるようになりつつある。そのような光は、高温でも低温でも瞬時オンの利点をもたらし、そのメタルハライドの同等物とは異なり全範囲でも輝度調整可能である。もちろん、屋内器具は、幅広い範囲の環境温度に対応する必要はない。屋内会場は、競技表面の真上に位置し得るより多数の低電力器具を容易に用いることができる。さらに、屋内器具は、日中の明るさのレベルに比肩する必要はない。
【００１３】
ＬＥＤ器具を用いた屋外会場の照明においていくつかの試みがなされている。現在まで、そのような器具は、メタルハライド器具と比較してとても大きいものとなっており、または同程度のフォームファクタの場合はずっと少ない光を発生する。これは、メタルハライド器具を有する既存の会場内の塔に後付する際に特に問題となる。とにかく、屋内の試みと屋外の試みの両方において、これらの器具は、ＬＥＤまたはモジュールごとに１つのレンズを用いており、全体は複数のレンズを用いる。これらの光の全ては、光が競技表面に真っすぐではないある角度で当たるときに光の逆二乗の減少を示す。典型的には、これらのレンズは、比較的短い焦点距離を有し、そのため、ＬＥＤ間で集束が一定である器具を製造することが難しい。その結果として、ビームの中央部が明るい高温スポットになる。したがって、フィールドの非常に均一な照明を実現することは、良くても、非常に難しい。
【００１４】
最後に、メタルハライドランプも既存のＬＥＤ器具も、暗い空には特に適さない。夜空への望ましくない光の漏出、すなわち「光害」を減少させるために、数年にわたって変化が進行している。多くの屋外メタルハライド器具は、上方への漏出の量を減少させるために、「眉」またはバイザを備える。これは、わずかに辛うじて有効である。メタルハライドバルブは、球状に光を放射する。発生した光のほんの一部だけがフィールドに向けて放射される。典型的には、器具は、アルミニウムの反射器を用いて、後方へ向かった光の一部をとらえ、その光をフィールドに向かって反射させて集束させる。バルブが発生した光のうち３分の１を少し超える光が、意図されるターゲットに実際に送られる。バイザを用いても、かなりの部分が空へと向かう。
【００１５】
典型的には、個々のＬＥＤは、発生した光のほぼ全部を前方に放射するようにパッケージされる。典型的には、会場照明に現在用いられているＬＥＤのタイプは、１２０度のビーム状に光を放射する。知られている器具の大半は、しばしばＴＩＲレンズと呼ばれる複数の小さい成形レンズを使用してこの光の実質的に全てをとらえ、その光をより狭いビームに集束する。残念なことに、そのとき、これらの器具は、第２の透明なレンズを用いてＬＥＤおよび成形レンズをエレメントから保護もする。このレンズに当たる光の一部は、器具の中に後方へ反射され、後で、空へ向かう方向を含む不規則な方向に器具から反射されて戻る。
【００１６】
多くの屋外建築照明器具は、他の大型屋外エリア照明器具と同様に、これらの同じ問題に悩まされる。特に、逆二乗の減少の問題および暗い空の問題は、建物の壁を洗うために使用されるメタルハライド器具、空港のタールマカダム舗装の照明に使用される器具等において問題となる。
【発明の概要】
【発明が解決しようとする課題】
【００１７】
したがって、ランプ交換を最小にし、再点弧の間隔によって制約されず、映像で使いやすい光を提供し、可視光範囲の外側の放射を最小にし、有効な熱の管理をもたらし、爆発的に破損せず、空に向かう光の放射を最小にする高出力のスタジアム屋外照明器具が必要とされている。
【課題を解決するための手段】
【００１８】
本発明は、上記課題を克服する会場照明用のＬＥＤ式照明器具を提供する。
好ましい一実施形態では、風雨密なハウジングと、ハウジング内に格納された高出力ＬＥＤアレイと、ハウジングの前端を覆うフレネルレンズと、モジュールが発生する熱を環境中に放散するためにアレイと熱連通しているヒートシンクとを備えたＬＥＤ器具が提供される。
【００１９】
別の好ましい実施形態では、本発明のＬＥＤ器具は、ヒートシンク上の空気を移動させてヒートシンクから熱が放散される速度を増加させるファンをさらに備える。任意で、温暖な天気の間、囲まれた会場の外側に加熱された空気を放出し、または寒い天候の間、空気をフィールドレベルまたは観客へ導管で送るために配管が使用されてもよい。
【００２０】
特定の好ましい実施形態では、ＬＥＤ器具は、二部分構造を備える。二部分構造の一部分は、ＬＥＤアレイ、フレネルレンズ、および一部の実施形態ではヒートシンクを囲む風雨密なハウジングを備える。二部分ハウジングの第２の部分は、風雨密でなく、ヒートシンクのパワー放散部分、空気を移動させるためのファン、およびハウジング間に形成された通気道を概して備え、それによって空気がヒートシンクから熱を放散することを可能にする。
【００２１】
別の好ましい実施形態は、アルミニウム直接熱経路プリント回路基板に取り付けられたＬＥＤの大型アレイと、単レンズとを収容するハウジングを備えた屋外エリアＬＥＤ照明システムを含む。ＬＥＤの大型アレイは、単レンズを通じて導かれる光線を発生させて、屋外エリアを照光する光ビームを発生させることができる。好ましくは、単レンズはフレネルレンズである。好ましくは、ハウジングは風雨密に封止され得る。第２のハウジングは、第１のハウジングを少なくとも一部囲むことができ、それによって少なくとも１つの通気道が第１のハウジングと第２のハウジングの間に設けられる。ヒートシンクは、複数のヒートチューブと熱連通しているヒートブロックを備え、フィン組立体は、ＬＥＤモジュールと一部熱接触しているとともに少なくとも１つの通気道と流体連通していることができる。少なくとも１つのファンが、ヒートシンクを冷却するために、前記少なくとも１つの通気道内に設けられ得るか、または前記少なくとも１つの通気道と流体連通していることができる。
【００２２】
さらに別の好ましい実施形態では、ヒートシンクは液体冷却され、熱を環境中に放散するために、液体は器具から遠く離れた位置まで送り出される。本明細書で使用されるとき、別段の定めがない限り、液体および液体冷却されるという用語は、限定するものではなく、水、不凍剤、混合物、または他の適切な液体を含む、冷却および熱伝達のための知られている任意の液体を含むものとする。
【００２３】
さらに別の好ましい実施形態では、ＬＥＤアレイは少なくとも１，０００ワットの入力電力に対応し、ＬＥＤはアルミニウム基板の回路基板上に取り付けられる。
さらに別の好ましい実施形態では、本発明のＬＥＤ器具は、ＬＥＤの非対称アレイを提供し、光をアレイから単レンズを通じて投射し、これによってビーム全体にわたり予め定められた光勾配を有する光ビームを発生させる。したがって、光は、ある角度でそのターゲットに当たる光に関連した光の逆二乗の減少を克服するような形状にされる。
【００２４】
本発明のさらなる目的、特徴、および利点は、好ましい実施形態の添付図面を検討し、下記説明を読むと当業者に明らかである。
【図面の簡単な説明】
【００２５】
【図１】一般的な環境における会場照明用の本発明のＬＥＤ器具の好ましい実施形態を示す図である。
【図２】屋外会場照明に用いるための本発明の照明器具の斜視図である。
【図３】図２の照明器具に使用されるプラスチックフレネルレンズの斜視図である。
【図４】器具の内部特徴を示す図２の照明器具の断面側面図である。
【図４Ａ】収納位置すなわち開放位置に示された代替の実施形態のシャッタをさらに示す図４の断面側面図である。
【図４Ｂ】展開位置すなわち閉鎖位置に示された代替の実施形態のシャッタを示す図４の断面側面図である。
【図５】図２の器具内部に格納された反射器およびヒートシンクの背後の図である。
【図６】ＬＥＤを冷却するために使用される空気を遠隔位置まで導管で送る本発明の一実施形態を示す図である。
【図７】本発明の好ましい一実施形態に使用されるときのＬＥＤの非対称アレイを有するＬＥＤ回路基板の正面図である。
【図７Ｂ】図７の代替の実施形態のＬＥＤ回路基板を示す図である。
【図８】図７の回路基板の回路の概略図である。
【図９】図７および／または図７Ｂの回路基板のＬＥＤアレイを通る電流を制御する好ましい一方法の概略図である。
【図１０】図７および／または図７Ｂの回路基板のＬＥＤアレイを通る電流を制御する代替の方法の概略図である。
【図１１】図７および／または図７Ｂの回路基板とともに使用するためのヒートシンクの好ましい実施形態の正面図である。
【図１２】図７および／または図７Ｂの回路基板とともに使用するのに適した液冷式ヒートシンクのための液体ブロックを示す図である。
【図１３】本開示の照明器具とともに使用するための代替の実施形態の安定用変圧器の概略図である。
【図１４】電灯とコンピュータホストの間のデジタルインターフェースを示す図である。
【発明を実施するための形態】
【００２６】
本発明を詳細に説明する前に、本発明はその適用において本明細書に例示した構造の詳細および本明細書に説明したステップの詳細に限定されないことを理解することが重要である。本発明は、他の実施形態が可能であり、様々なやり方で実施または実行することができる。本明細書に用いた語句および専門用語は説明のためのものであり、限定するものではないことを理解されたい。
【００２７】
ここで、図面を参照する。同様の参照符号はいくつかの図面を通じて同じ部分を示す。図１には、発光ダイオード式会場照明１０２の好ましい一実施形態が、その一般的な環境において示されている。当業界においてよく知られているように、運動場を照明するためには、通常、いくつかの器具１０２（２４個が図示されている）が塔、ポール１０４、またはスタンドに取り付けられることを必要とする。電灯の正確な個数は、所望の明るさのレベルに依存し、主にプレイのレベルによって決められる。例として、市立学校または高等学校レベルにおける屋外スポーツにはフィールドに届けられる光が２６９．１ルクス（２５フートキャンドル）であることが許容可能であり得、全国放映される大学の試合には１６１５ルクス（１５０フートキャンドル）が一般に許容でき、プロフットボールスタジアムには２６９１ルクス（２５０フートキャンドル）が許容できる。選手および観客の安全性も考慮すべき事項であるが、テレビ放送局の要求が、大学およびプロの会場における照明レベルの決定において主に考慮すべき事項である。典型的には、器具１０２は、クロスアーム１０６によってポール１０４に、または場合によっては１つまたは複数のトラスに取り付けられる。時として、キャットウォークが、器具１０２の照準および保守を容易にするために各クロスアーム１０６の近くに設置される場合がある。
【００２８】
本発明のために、用語「器具」、「照明器具」、および「ヘッド」は、器具１０２などの単一の照明機器を言及するために相互交換可能に使用される。図２を見ると、好ましい一実施形態では、器具１０２は、ハウジング２０２と、ハウジング２０２の前端にあるレンズ２０４（好ましくは、レンズ２０４は、風雨密にハウジング２０２に取り付けられたプラスチックフレネルレンズである）と、レンズ２０４およびバイザ２０８を受け入れるための前方ベゼル２０６と、冷却用空気の進入を可能にするリング２１０と、後部（または第２の）カバー組立体２１２と、後部（または第２の）ハウジング２１２に枢動可能に取り付けられたヨーク２１４とを備える。
【００２９】
図３を参照すると、好ましくは、レンズ２０４は、好ましくはアクリルまたはポリカーボネートなどの透明プラスチックで形成されたフレネルレンズである。好ましい一実施形態では、レンズ２０４は、ねじを用いてハウジングに固着するための複数の穴３０４（１２個が示されている）を備えたフランジ３０２と、屈折領域３０６とを備える。
【００３０】
次に、照明器具１０２の内部詳細が示されている図４および図５を見ると、照明器具１０２は、通気路４２０を作り出すように第２のハウジング２０２の内側に受け入れられた反射器４１４であり得る第１のハウジング４４０をさらに備える。反射器４１４は、前方開口部を有し、その上にレンズ２０４がねじ４１６を用いて取り付けられる。リング様ガスケット４１８は、器具１０２の内部を風雨密に悪天候から保護するためにレンズ２０４と反射器４１４の間に受け入れられる。本明細書に使用されるとき、風雨密なまたは風雨密にという用語は、水中に沈めることが可能な気密封止であることを必ずしも必要とせず、代わりに、雨、吹き付けられる塵、およびデブリなどに対して封止することができる。反射器４１４の後端に向けて、発光ダイオードモジュール４０２が、モジュール４０２から放射される光がレンズ２０４の方に導かれるようにヒートシンク４０６に取り付けられる。好ましい一実施形態では、ＬＥＤ４０２は、チップオンボードすなわちＣＯＢタイプモジュールである。そのようなモジュールの１つは、カリフォルニア州リバーモアのＢｒｉｄｇｅｌｕｘ，Ｉｎｃ．によって製造されるＶＥＲＯ  ２９  ＬＥＤモジュールである。そのようなモジュールは当業界でよく知られている。典型的には、ＣＯＢモジュールは、約１２０度のビームにわたる光を放射する。ＬＥＤモジュール４０２から利用される光を最大にするために、集光レンズ４０４が使用されて、光を集め、フレネルレンズ２０４の方に光を導くことができる。
【００３１】
ヒートシンク４０６は、モジュール４０２のための取付面を与えるとともに複数のヒートチューブ４０８を受け入れるヒートブロック４２２を備える。ヒートチューブ４０８は、モジュール４０２が発生した熱を反射器４１４の周囲に配された通気路４２０内に設置されているフィン組立体４１０へ伝える。本開示の器具１０２の特徴は、二部分ハウジングを備えることである。二部分ハウジングの第１の部分ハウジング４４０は、ＬＥＤモジュール４０２と、レンズ４０４と、（第１の部分ハウジング４４０の部分を形成し得る）反射器４１４と、ねじ４１６によって圧縮されたガスケット４１８によって全て封止されたフレネルレンズ２０４とを備える。いくつかの実施形態では、ヒートブロック４０６は、少なくとも一部が第１の部分ハウジング４４０の中にあり得る。第１の部分ハウジング４４０は、接着剤、反射器４１４とフランジ３０２（またはフレネルレンズ２０４）との間のはめ合いねじ、相互固定用タブ、リベットなど様々な適切なやり方で封止され得ることを当業者に理解されたい。第２の部分ハウジング４５０は、外側ハウジング２０２、典型的にはヒートブロック４０６、ヒートチューブ４０８、フィン組立体４１０、およびファン組立体４１２を備える。通気路または通気道４２０は、第１の部分ハウジング４４０と第２の部分ハウジング４５０との間に形成される。ファン４１２は、空気をフィン組立体４１０を通じて通気路４２０に引き込み、器具４２０の後方から外へ加熱された空気を放出し、それにより器具１０２の冷却を行う。
【００３２】
第１の部分ハウジング４４０および第２の部分ハウジング４５０の幾何学的形状は、設計および／もしくは適用目的の必要または要求に応じて、変更されてよい。例えば、限定するものではないが、第１の部分ハウジング４４０および第２の部分ハウジング４５０は、図４、図４Ａおよび図４Ｂに示されるように円錐または円錐台であってもよく、図２に示されるように円筒形であってもよい。代替として、限定するものではないが、角錐形、三角形、正方形、楕円形等などの他の幾何学的形状が企図されることを当業者は認識されよう。さらに、ヒートシンク４０６を冷却するようにファン４１２によってもたらされる第１の部分ハウジング４４０と第２の部分ハウジング４５０との間の空気の流れを可能にするために通気道４２０が含まれる場合には、第１の部分ハウジング４４０と第２の部分ハウジング４５０は、互いと異なる幾何学的形状であってもよい。
【００３３】
代替の一実施形態では、ファン４１２は、通気路４２０内の空気の流れを逆にするように両面使用可能にすることができる。この目的は、嵐のごみ、鳥の巣、水、またはさらに冬に形成され得る氷など、形成され得る任意のタイプの障害物を取り除けるようにすることである。
【００３４】
代替の好ましい実施形態における図４Ａおよび図４Ｂを参照すると、シャッタ４２４は、反射器４１４の内部に挿入することができる。シャッタ４２４は、いずれの実施形態においても有益であり得るが、器具１０２が建築に関する用途に用いられるとき、特に器具１０２が空の方に向けられ、レンズ２０４が直射日光を受け得るときに、特に有用であり得る。
【００３５】
好ましくは、シャッタ４２４は、一表面４２６が、反射器４１４の内部の表面を被覆する反射材と同様の反射材で被覆されており、シャッタ４２４が開放位置にあるときに、図４Ａに示されるように、表面４２６が光を反射して、図４と同じようにして反射器４１４からレンズ２０４を通じて外へ光を向けるようになっている。代替として、シャッタ４２４は、反射器４１４の内部４３０に入る日光による潜在的な損傷からＬＥＤ４０２を保護するために、図４Ｂに示されるように閉鎖されてもよく、閉鎖しなければ、日光はレンズ２０４によってＬＥＤモジュール４０２上に集束され得る。シャッタ４２４の表面４２５は、そのような光および／もしくは熱を反射するように反射材で被覆されてもよく、または任意で設計の好みとして光および／もしくは熱の吸収材で被覆されてもよい。
【００３６】
図４Ａおよび図４Ｂに示された実施形態では、シャッタ４２４は、ヒンジ４３２から枢動し、閉鎖されたときにある角度で反射器４１４の内部４３０を横切って延びることができる。したがって、シャッタ４２４は、太陽光線／熱がシャッタ４２４上に集中するのを防ぐためにレンズ２０４の焦点から外れるように配置される。当業者には明らかであるように、シャッタ４２４は、反射器４１４の内部４３０の幾何学的形状に適合する幾何学的形状を有するように設計することができ、またはＬＥＤモジュール４０２を保護するという課題を達成するように任意の他の適切なやり方および配置とすることができる。
【００３７】
好ましい構成では、シャッタ４２４は、器具１０２の休止／オフ状態で閉鎖される（図４Ｂ）。電動機またはソレノイド４３４は、ＬＥＤモジュール２０４が起動される（オンにされる）とき等にシャッタ４２４を開放し（図４Ａ）、ＬＥＤモジュール２０４が停止させられる（オフにされる）ときに閉鎖するように動作することができる。さらに、器具１０２は、ＬＥＤモジュール２０４が動作不良またはオーバーヒートにより点灯できないまたは機能しなくなった場合に、電動機４３４がシャッタ４２４を閉鎖位置に（図４Ｂ）維持することができるように設計されてもよい。代替として、器具１０２は、シャッタ４２４が起動（開放）することができない場合に、ＬＥＤモジュール２０４が停止された（オフにされた）ままとなるように設計され得る。
【００３８】
代替の実施形態では、シャッタ４２４は、例えばカメラレンズに見られる絞りシャッタなどの開口として構成することができる。好ましくは、シャッタ４２４は、反射器４１４の内部４３０内の封止された第１の部分ハウジング４４０の内部に配置されるが、代替として、基本的な実施形態にあるようにレンズ２０４の外側または上に配置されてもよい。シャッタ４２４はさらに、開放位置と閉鎖位置の間に手動配置されたリーフシャッタでもよい。
【００３９】
図６を参照すると、導管６０２は、加熱された空気を器具１０２から遠くに送り届けるために使用されてもよい。閉鎖されたスタジアムでは、配管は、天候が温かいときに加熱された空気を外側に排出するために使用されてもよく、それによって複合施設に対する空調要求を減少させ、または寒い天候では加熱設備を増強するためにフィールドレベルまたは座席レベルへ導管で送られてもよい。例えば、フットボール場がフィールドレベルで２６９１ルクス（２５０フートキャンドル）を実現するように照明される場合に、１２６６０６７キロジュール／時間（１．２百万Ｂｔｕ／時間）を超える熱が、外側へ送り届けられ得、空調要求を約１００トン減少させる。性能をさらに改善するために、外側の空気が、内側の空気が外側へ排出されないように器具を冷却するために同様に取り入れられてもよい。
【００４０】
屋外スタジアムの場合、導管６０２によって運ばれる空気は、電灯の大集団から集められ、寒い天候の中で選手ベンチを温めるためにサイドラインへ送り届けられ得る。暖かい天候では、加熱された空気は、単に上方へ観客から離れるように排出される。
【００４１】
別の好ましい実施形態では、ＣＯＢモジュールを使用するのではなく、本発明の照明器具のＬＥＤモジュールは、図７に示されるように、表面取付発光ダイオード７００の大型の高密度アレイを用いる。好ましくは、アレイ７００は、アルミニウム基板の回路基板７１６上に取り付けられた複数のＬＥＤ７０２（１１８８個が示されている）を備え、そのような基板は、当業界で知られており、いくつかの供給業者から入手可能である。好ましくは、アルミニウム基板は、カリフォルニア州プラセンシアのＳｉｎｋｐａｄ  ＬＬＣによって製造されるような「直接熱経路」プリント回路基板である。ある適切なＬＥＤは、Ｓｈｅｎｚｈｅｎ  Ｇｕａｎｇｍａｉ  Ｅｌｅｃｔｒｏｎｉｃｓ  Ｃｏ．，Ｌｔｄによって製造された部品番号ＧＳ−３０３０Ｗ６−１Ｇ１１０−ＮＷＮである。この目的のための別の適切なＬＥＤは、ノースカロライナ州ダラムのＣｒｅｅ，  Ｉｎｃ．によって製造されたＣｒｅｅ  ＸＬａｍｐ  ＬＥＤである。図８をさらに参照すると、限定ではなく例として、基板７００のＬＥＤ７０２は、９９個の直列の列８０２にグループ化され、各列は１２個のＬＥＤを有する。
【００４２】
本実施形態では、基板７００は、光をもたらすＬＥＤの個数が底７２２よりも上側７２０の方がずっと少なくなるようにレイアウトされることに留意されたい。光はフレネルレンズを通過するときに反転されるので、器具がフィールドに向けられているときには、より近い点よりも最も遠い点に入射する光をもたらすＬＥＤの方が多くなり、したがって従来技術の器具に典型的な光度の逆二乗の減少を克服する。
【００４３】
典型的には器具１０２は図１に示されるように取り付けられるので、放射された光は、フィールドの真上ではなく、むしろある角度でフィールドに当たる。光度は、ビーム全体にわたって同じではない（キーストン効果）。図７のアレイは、これに対応し、器具の有効範囲領域にわたって投影された光度を一定にする。上述した通り、この図に示された非対称のＬＥＤアレイは、キーストン効果を解決する。そのような実施形態では、非対称のＬＥＤアレイ７００に一致するように同じく非対称のヒートシンクを備えることも望ましい可能性がある。理想的には、各ＬＥＤ７０２は、同じ温度、またはその温度の近くで動作する。
【００４４】
代替の構成では、アレイは、輝度が増加した領域をもたらすように様々なワット数ＬＥＤを使用することができる。これは、必要とされる、または要求される場合に、知覚される暗い領域または陰をなくすことができる。
【００４５】
追加および／または代替として、ＬＥＤ７０２は、複数の別個の電気チャンネルとして共にグループ化されてもよい。これは、冗長性の利益、および他の利益をもたらす。例えば、限定するものではないが、異なるチャンネルは、独立して輝度を調整することができる。好ましい構成は、少なくとも２つの輝度調整チャンネルを備える。この好ましい構成は、チャンネルごとに１つのドライバを備え、図９および図１０に関連して後述されるように各々が独立して動作する。
【００４６】
図７の非対称の設計は適した実施形態の１つであり、他の適した非対称の設計が企図されることを当業者は理解されたい。そのような非対称の設計は、選択されたフレネルレンズの特性、および器具によって照明されるフィールドまたは表面の幾何学的形状の結果として経験的に決定することができる。結果として、例えば、限定するものではないが、暗い領域または陰を回避してフィールドまたは表面を均一に照明するなど、ある種の条件についてまたはある目標を達成するために、代替の実施形態が導出され得る。
【００４７】
図７Ｂは、代替のアレイ７３０を示す。アレイ７３０は、基板７３４に取り付けられた複数のＬＥＤ照明要素７３２を備える。図示のように、アレイ７３０は、ほぼ円形の基板７３４上に配設された代替実施形態の対称アレイである。図７に示されたアレイの場合と同様に、図７Ｂのアレイ７３０は、様々なワット数の輝度の個々のＬＥＤ７３２を備えることができる。さらに、アレイ７３２は、複数の電気チャンネルに分割することができ、それによって各チャンネルは上記と同じやり方で独立して制御／輝度調整することができる。
【００４８】
図１１を見ると、図７の基板７００に適合されたヒートシンク１１００は、ヒートブロック１１０２と、ブロック１１０２に押し込まれた複数のヒートチューブ１１０４と、各ヒートチューブ１１０４の遠位端に結合されたフィン組立体１１０６とを備える。各フィン組立体１１０６は、チューブ１１０４へ押し付けられた複数のフィン１１０８を備える。代替として、基板７００は、図１２の液体ブロック１２００を用いて液体冷却することができる。液体ブロック１２００は、ねじ付き入口１２０２およびねじ付き出口１２０４を有する通路１２０６を備え、それによって取付具は、通路１２０６の各端部にねじ止めすることができる。ねじ付き穴１２０８は、覆い（図示せず）をねじで取り付けるために設けられる。図７の基板７００は液体ブロック１２００に取り付けられ、連続する液体流が基板７００を冷却するために供給される。液体は、一般の熱交換器内の別の場所で冷却されてもよい。そのようなシステムの利点は、（空気を導管で送るのと比べて）小規模の配管を用いて大量の熱を除去する能力である。
【００４９】
当業界においてよく知られているように、ＬＥＤの並列配置は、安定化なしでは負荷を十分に分担しない。順電圧の変動は単一の列で過度に多くの電流を引き出させ得るが、より大きい問題は、ＬＥＤがウォームアップするときに順電圧が下がることである。したがって、ある列がその対となる列よりも温度が高い場合、この列の順電圧は下がり、電流が他の列を通じて流れるという犠牲を払って、より多くの電流を引き出させる。より多くの電流によって、列はさらに高温となり、さらに順電圧をいっそう下げ、そしてプロセスは継続する。安定化は、電流ホッギングと熱暴走の間で正のフィードバックを根本的に減少させる。したがって、各列は、安定器抵抗器７０４を備える。この構成は図８に概略的に示されている。限定ではなく例として、本実施形態では、２オームの抵抗器が熱暴走を満足に制御するために用いられている。
【００５０】
ＬＥＤ７０２を照光させるために、正の電力が端子７１０に加えられるとともに、負の電力が７１２に加えられる。好ましい実施形態では、端子７１０および７１２に加えられる電力は、電流制御され、最大輝度でおよそ２３アンペアを送り届ける。ＬＥＤ７０２は、デバイスあたり１ワットが定格である。したがって、基板７００のＬＥＤ７０２は合計１１８８ワットで動作することができるが、好ましい実施形態では、基板７００は１０００ワットで動作し、したがっておよそ２３４ミリアンペアで各列８０２を動作させると考えられる。
【００５１】
前述したように、ＬＥＤを駆動する適切な方法は、電圧制御ではなく、電流制御による。図９には、図８のアレイを適切に駆動する方式の１つが示される。回路９００は、電圧出力を与える端子９０２と、端子９０２を通じて流れる電流のための帰還経路を与える端子９０４と、端子９０４で受け取られる電流を制御するトランジスタ９０６と、トランジスタ９０６を通じて流れる電流に比例した電圧を生じる電流検出抵抗器９０８と、抵抗器９０８間で検出された電圧を倍率変更する第１の増幅器９１０と、倍率変更された電流検出値と入力９１４に印加された基準電圧を比較する第２の増幅器９１２とを備える。当業者に明らかであるように、トランジスタ９０６は、ＭＯＳＦＥＴとして示されるが、当業者には明らかであるように、ごくわずかな修正を加えてバイポーラトランジスタが代わりに使用されてもよい。
【００５２】
電流がトランジスタ９０６を通じて流れるとき、電圧が抵抗器９０８間に生じる。好ましい一実施形態では、抵抗器９１６および抵抗器９１８は、１０の利得を与えるように選択される。したがって、限定ではなく例として、電流２０アンペアが抵抗器９０８を通じて流れている場合、増幅器９１０の出力は４ボルトとなる。入力９１４の電圧が４ボルトより小さい場合、増幅器９１２の出力は、その負のレールに向かって移動し、したがってトランジスタ９０６を通じて流れる電流を減少させる。入力９１４の電圧が４ボルトよりも大きい場合、増幅器９１２の出力は、その正のレールに向かって移動し、したがってトランジスタ９０６を通じて流れる電流を増加させる。したがって、４ボルトの入力の場合、回路９００は、２０アンペアでＬＥＤ電流を調整する。増幅器９１２は、ストレートコンパレータとして使用され得るが、抵抗器９２０および９２２を用いて利得を１００まで減少させることによって、振動するまたは鳴る回路の傾向が減少し得ることに留意されたい。任意で、キャパシタ９２４を使用して、増幅器９１２の出力をフィルタ処理し、それによってその出力のスルーレートを制限してオーバーシュートおよび雑音を減少させてもよい。
【００５３】
図１０には、ＬＥＤアレイを通る電流を制御するために使用され得る別の回路が示される。回路１０００は、当業界でよく知られているスイッチモードバック電流調整器である。典型的には、回路１０００は、入力電圧を受け入れる入力１００２と、バイナリマイナで入力電流を制御するパストランジスタ１０１８と、トランジスタ１０１８がスイッチオフされたときに電流経路を与えるためのショットキーまたは他の高速リカバリーダイオード１０２０と、インダクタ１０２２と、キャパシタ１０２４と、ＬＥＤアレイへの出力電流を供給する端子１００６と、帰還経路を与える端子１００８と、ＬＥＤアレイを通る電流に比例した電圧を生じる電流検出抵抗器１０１０と、電流検出抵抗器１０１０からの電圧を倍率変更する増幅器１０１２と、増幅器１０１２からの電圧と基準電圧を比較し所望の電流を維持するようにトランジスタ１０１８に適用されるデューティーサイクルを制御するコントローラ回路１００４とを備える。限定ではなく例として、コントローラ１００４が２．４ボルトの基準電圧を有する場合、増幅器１０１２は、抵抗器１０１４および１０１６によって決定される利得６を有することがき、それによって、２０アンペアは増幅器１０１２の出力で２．４ボルトを発生させる。好ましくは、コントローラ１００４は、ゲートトランジスタ１０１８への出力が入力１００２における電圧より高くなるように、ブートストラップダイオード１０２６とキャパシタ１０２８とを備えたブースト回路を含み、したがってＮチャンネルデバイス１０１８の使用を可能にする。
【００５４】
当業者には明らかであるように、図９の回路９００などの線形回路、または図１０の回路１０００などのスイッチモード調整器の使用の選択は、いくつかの要因のバランスをとることを伴う。最高限の輝度では、入力電圧の適切な選択によって、２つの回路の効率は同程度になる。輝度調整中、スイッチモード回路は、線形回路よりも高い効率を有する。しかしながら、線形回路は、はるかに低費用で、はるかに軽量であり、そしてスイッチモードシステムによってもたらされる電気放射の懸念を生じさせない。
【００５５】
当業者に明らかであるように、本発明は、光の逆二乗の減少の性質を補償するためにＬＥＤの非対称アレイを組み込むことができる。この特定の問題は、光ビームが真っすぐではないある角度でターゲットに当たるように光源が向けられるときに生じる。発光ダイオードが発生した光を単レンズに通過させることによって、光の非対称性が器具のターゲット位置で保存され得ることに留意されたい。個々にレンズ作用を受けたＬＥＤのアレイから同様の結果を実現するには、照明領域にわたって均一な照明を実現するために、アレイは多くの異なるレンズを用いて様々なビームサイズを与えることを必要とする。
【００５６】
特定の会場に必要な器具の正確な個数は、単なる明るさのレベルを超えたいくつかの要因に依存する。例えば、フィールドからのポール１０４（図１）の後退および照明用ポールの高さ、照明される領域のサイズ、着席している観客への照明の程度、サイドライン等、設置費用、運転費用、ならびに維持費用は全て、照明計画の考慮事項である。メタルハライド照明を既存のスタジアムに後付けする際には、その設備での元の照明計画に従って同じ個数の器具が用いられ得ることが考えられる。器具は、所望の明るさのレベルをもたらすために簡単に輝度調整される。特定のイベントに対する器具の輝度調整および輝度調整（カスタマイズ）の能力は、器具の効率を最大にし、それによって費用節約を実現することは当業者には明らかである。言い換えると、器具は、必要な量の光だけがそのイベントのために作られるように輝度調整することができ、したがってエネルギーおよび金銭の節約となる。
【００５７】
本発明は約４６〜４８ボルトのＤＣ電力によって駆動されることにも留意されたい。三相電力が利用できる大型スタジアムでは、６つのダイオードブリッジで整流されるとき、約４６〜４８ボルトのＤＣを発生するとともに、単一のポールについての器具アレイ全体に対してまとめて適切なパワーを発生させる三相変圧器を選択することが有利であり得る。三相電力が容易に利用できない場合、または電力会社から受ける全ての電流の高調波歪みが懸念事項である設備の場合は、４６〜４８ボルトの線間電圧を得て４６〜４８ボルトのＤＣを外に送り届ける電力供給装置を使用することがより実際的であり得る。１０００ワットの電力を送り届けることができるそのような電力供給装置は、当業界でよく知られており、簡単に利用できる。
【００５８】
三相電力が利用できる代替の好ましい一実施形態では、安定化効果をもたらすために変圧器が含まれ得る。図１３を参照すると、安定用変圧器１３１０の概略図が示される。好ましくは、安定用変圧器１３１０は、変圧器１３１２と、整流器１３１４と、キャパシタ１３１６という３つの要素を備える。変圧器１３１２は、当業界で知られている三相４８０Ｖから３５Ｖへの変圧器であり得る。好ましくは、整流器１３１４は、６つのダイオードブリッジであり、まとめて１３１８としている。好ましくは、キャパシタ１３１６は、１０，０００マイクロファラドの電解質キャパシタである。しかしながら、これらの３つの要素は当業者によって当業界において知られるように変更されてもよいことを理解されたい。
【００５９】
変圧器１３１２は、本質的に電流を制限する。これは、動作周波数の観点から見た巻き線のインダクタンスが、変圧器の出力電流を制限するからである。結果として、単一のポールに対する器具アレイ全体、または単一の器具に対する電力をまとめて供給する変圧器１３１０となる。当業者に明らかであるように、図１３の回路は、変圧器１３１２が自己安定でないときも適用可能である。光が輝度調整されるとき、回路による電圧出力のいくらかの増加が生じる。これは、電流調整器のトランジスタにおいてより多くの熱損失を引き起こすことになるが、その他の点では器具の動作に影響を及ぼさない。
【００６０】
好ましい実施形態では、図１４に示されるように、デジタルインターフェース１４１０が、制御およびデータ収集のために１つの器具または複数の器具１４１４をホスト１４１２に接続するために提供され得る。このデジタルインターフェース１４１０をホスト１４１２（コンピュータ）に接続することは、インターネットプロトコル（ＲＳ−２３２）、イーサネット（登録商標）を介して、ＵＳＢ、または当業者に知られている他の適切な通信インターフェースなどの任意の知られたやり方で達成することができる。デジタルインターフェース１４１０は、有線または無線のいずれかにすることができる。デジタルインターフェース１４１０の目的は、照明器具を（図１に示されるように）まとめて、および個々に制御することであり、限定ではないが、ＬＥＤアレイの入力電圧／輝度／輝度調整を制御できる。デジタルインターフェースは、各電灯の動作状態を別々にまたは電灯のポールの動作状態をまとめて監視し、追跡するのにも役立ち得る。動作状態は、ＬＥＤの温度、ファン速度／気流、および他の有用な条件を含み得る。例えば、ＬＥＤの温度などの状態は、個々の器具のファン速度または複数の器具に関連した状態などの制御機能に影響を及ぼし得る。
【００６１】
デジタルインターフェース１４１０は、ホストコンピュータ１４１２におけるデータ収集を可能にし、それによって、他の文脈で統計的プロセス制御と呼ばれる場合もあるものにおいて、有用な傾向を観察することができる。好ましくは、ホストコンピュータ１４１２は、照明器具１４１４の動作状態／傾向を追跡するソフトウェアを含む。傾向の追跡は、故障システムがより大きい問題となる前に、または器具もしくはシステムの故障をもたらす前に、故障システムの特定を可能にする。例えば、限定するものではないが、２３．９℃（７５°Ｆ）などの知られている温度状態において、ホストコンピュータのソフトウェアは、照明器具内のファンが、あるＣＦＭ（立方フィート／分）の正常動作範囲を有することを経時的に決定することができる。ホストコンピュータのソフトウェアは、１つまたは複数の個々の照明器具のファンのＣＦＭが同じ（温度）条件で下がる傾向であるときに、そのことを検出するようにさらにプログラムされてもよい。そして、ソフトウェアは、ファンが故障する前に照明器具のメンテナンスが必要とされ得ることを操作者に警告することができる。結果として、ファンは、ファンが故障する前に修理または交換することができ、これは、器具内のＬＥＤアレイ全体の故障を防ぐことができる。したがって、イベント中の器具の故障は避けられ、器具全体の高価な修理または交換も同様に避けられ得る。ファンに関連した特別な例は、単に実証のためであって、（後述の図１３の安定用変圧器１３１０のように）当業者に明らかであるように他の動作状態／データが企図され、かつ、特定され、傾向について追跡されてもよいことを理解されたい。
【００６２】
当業者に明らかなように、本発明の照明器具は、建築に関する照明に幅広い用途を見出すこともできる。逆二乗の減少を克服するために使用されるＬＥＤの非対称アレイは、ビルの洗浄に一般に見られるような極端な入射角度での光の様子を改善するために誇張され得ることに留意されたい。
【００６３】
最後に、本発明の好ましい実施形態は、プラスチックフレネルレンズを用いて説明されてきたが、本発明はそれに限定されない。ガラスレンズを用いて同等の結果を実現することもでき、または本発明は複数のレンズを用いて容易に改良することもできることは明らかである。
【００６４】
このように、本発明は、目的を成し遂げ、上記の結果および利点とともに本明細書に固有のものを得るのによく適合している。現在好ましい実施形態が本開示のために説明されてきたが、多数の変更および修正が当業者には明らかである。そのような変更および修正は、本発明の趣旨の範囲内に含まれる。
項目１
ＬＥＤモジュールおよびフレネルレンズを備えた第１のハウジングであって、風雨密に封止されることが可能な、第１のハウジングと、
前記第１のハウジングを少なくとも一部囲む第２のハウジングであって、それにより少なくとも１つの通気道が前記第１のハウジングと前記第２のハウジングとの間に設けられる、第２のハウジングと、
前記ＬＥＤモジュールと熱接触しているとともに前記少なくとも１つの通気道と流体連通しているヒートブロックと、
前記少なくとも１つの通気道と流体連通している少なくとも１つのファンと
を備える、ＬＥＤ会場照明システム。
項目２
前記ヒートブロックと熱連通しているとともに前記少なくとも１つの通気道と流体連通している少なくとも１つのヒートチューブをさらに備える、項目１に記載のＬＥＤ会場照明システム。
項目３
前記少なくとも１つのヒートチューブと熱連通しているフィン組立体をさらに備える、項目２に記載のＬＥＤ会場照明システム。
項目４
前記少なくとも１つのヒートチューブは、冷却剤流体を含む、項目３に記載のＬＥＤ会場照明システム。
項目５
前記第１のハウジングは、前記ＬＥＤモジュールと前記フレネルレンズとの間に集光レンズを備える、項目１に記載のＬＥＤ会場照明システム。
項目６
前記第１のハウジングは反射器を備える、項目１に記載のＬＥＤ会場照明システム。
項目７
前記反射器は、前記第１のハウジングの少なくとも一部分を形成する、項目６に記載のＬＥＤ会場照明システム。
項目８
前記フレネルレンズは、風雨密に前記反射器に固定される、項目７に記載のＬＥＤ会場照明システム。
項目９
前記フレネルレンズと前記反射器との間に配置されたガスケットと、前記フレネルレンズに固定された外側リングとをさらに備える、項目８に記載のＬＥＤ会場照明システム。
項目１０
前記フレネルレンズを遮光するためのバイザをさらに備える、項目１に記載のＬＥＤ会場照明システム。
項目１１
前記第１のハウジングは、前記ＬＥＤモジュールと前記フレネルレンズとの間に配置されることが可能なシャッタを備える、項目１に記載のＬＥＤ会場照明システム。
項目１２
前記ＬＥＤモジュールは、チップオンボード型モジュールである、項目１に記載のＬＥＤ会場照明システム。
項目１３
前記ＬＥＤモジュールは、プリント回路基板上に取り付けられた複数のＬＥＤを備える、項目１に記載のＬＥＤ会場照明システム。
項目１４
前記ＬＥＤは、非対称の配置で前記プリント回路基板に取り付けられる、項目１３に
記載のＬＥＤ会場照明システム。
項目１５
前記プリント回路基板は、アルミニウム直接熱経路プリント回路基板である、項目１３に記載のＬＥＤ会場照明システム。
項目１６
ホストコンピュータをさらに備え、デジタルインターフェースが前記ホストコンピュータを前記ＬＥＤモジュールに接続する、項目１に記載のＬＥＤ会場照明システム。
項目１７
アルミニウム直接熱経路プリント回路基板に取り付けられたＬＥＤの大型アレイと、単レンズとを備えたハウジングを備え、前記ＬＥＤの大型アレイは、前記単レンズを通じて導かれる光線を発生させて、屋外エリアを照光する光ビームを発生させることが可能である、
屋外エリアＬＥＤ照明システム。
項目１８
前記単レンズはフレネルレンズである、項目１７に記載の屋外エリアＬＥＤ照明システム。
項目１９
前記ハウジングは、風雨密に封止されることが可能である、項目１８に記載の屋外エリアＬＥＤ照明システム。
項目２０
前記第１のハウジングを少なくとも一部囲む第２のハウジングであって、それにより少なくとも１つの通気道が前記ハウジングと前記第２のハウジングとの間に設けられる、第２のハウジングと、
前記ＬＥＤモジュールと一部熱接触しているとともに前記少なくとも１つの通気道と流体連通しているヒートシンクと、
前記少なくとも１つの通気道と流体連通している少なくとも１つのファンと、
をさらに備える、項目１９に記載の屋外エリアＬＥＤ照明システム。
【図１】
0006599896.tif 000002
【図２】
0006599896.tif 000003
【図３】
0006599896.tif 000004
【図４】
0006599896.tif 000005
【図４Ａ】
0006599896.tif 000006
【図４Ｂ】
0006599896.tif 000007
【図５】
0006599896.tif 000008
【図６】
0006599896.tif 000009
【図７】
0006599896.tif 000010
【図７Ｂ】
0006599896.tif 000011
【図８】
0006599896.tif 000012
【図９】
0006599896.tif 000013
【図１０】
0006599896.tif 000014
【図１１】
0006599896.tif 000015
【図１２】
0006599896.tif 000016
【図１３】
0006599896.tif 000017
【図１４】
0006599896.tif 000018